(57)【要約】  画像を複数の画像成分に分割し、そして各画像成分を光学パネルの対応する各部分を通して投射して、集合的に上記画像を形成することにより、光学パネルからビデオ画像を表示する。ディスプレイ全体の奥行きは、それ相応に低減される。
2007526494.tif 000002
【特許請求の範囲】
【請求項１】
光学パネルから画像を表示する方法において、
前記画像を複数の画像成分に分割する工程と、
集合的に前記画像を形成するように、各前記画像成分を対応する前記パネルの各部分を通して投射する工程と、
を有することを特徴とする前記方法。
【請求項２】
前記投射工程は、各前記画像成分を、各前記パネル部分に向けて、それに対してそれぞれ鋭い入射角にて投射し、それによって各前記画像成分が前記パネルの入口面において前記パネルの前記入口面に対して実質的に垂直な方向に再指向されることを含むことを特徴とする請求項１に記載の方法。
【請求項３】
各前記入射角は、約８°〜１１°の範囲内であることを特徴とする請求項２に記載の方法。
【請求項４】
各前記入射角は、互いに実質的に等しいことを特徴とする請求項２に記載の方法。
【請求項５】
各前記入射角は、互いに実質的に等しく、但し符号が逆であることを特徴とする請求項２に記載の方法。
【請求項６】
前記投射工程は、初めに各前記画像成分を互いに実質的に反対方向に投射することを含むことを特徴とする請求項１に記載の方法。
【請求項７】
前記投射工程は、初めに各前記画像成分を実質的に同一方向に投射することを含むことを特徴とする請求項１に記載の方法。
【請求項８】
前記投射工程は、各前記画像成分を前記パネルの対向する各縁部から各前記パネル部分に向けて前方に投射することを含むことを特徴とする請求項１に記載の方法。
【請求項９】
前記投射工程は、各前記画像成分を前記パネルの共通の縁部から各前記パネル部分に向けて前方に投射することを含むことを特徴とする請求項１に記載の方法。
【請求項１０】
前記投射工程は、各前記画像成分のうち少なくとも１つを、折り返されていない光学経路を通して前記パネルに向けて投射することを含むことを特徴とする請求項１に記載の方法。
【請求項１１】
前記投射工程は、各前記画像成分のうち少なくとも１つを、折り返された光学経路を通して前記パネルに向けて投射することを含むことを特徴とする請求項１に記載の方法。
【請求項１２】
各折り返された光学経路は折り返しミラーによってもたらされ、該折り返しミラーは、平坦、凹面、凸面、球面、円筒状、円環状、円錐状、楕円状、フレネル式、及びこれらの組み合わせから成る群から選択される表面を有することを特徴とする請求項１１に記載の方法。
【請求項１３】
更に、
前記画像を前記パネルの背後且つ前記パネルの各外側縁部の内側で分割する工程と、
各前記画像成分のうち少なくとも１つを、前記対応する各パネル部分を通して投射するように、各前記外側縁部のうち少なくとも１つの近傍で折り返す工程と、
を有することを特徴とする請求項１に記載の方法。
【請求項１４】
前記折り返し工程は、少なくと１つの折り返しミラーを使用することを含み、各折り返しミラーは、平坦、凹面、凸面、球面、円筒状、円環状、円錐状、楕円状、フレネル式、及びこれらの組み合わせから成る群から選択される表面を有することを特徴とする請求項１３に記載の方法。
【請求項１５】
前記分割工程は、前記パネルの背後に配置された単一のプロジェクタからの前記画像を分割することを含むことを特徴とする請求項１３に記載の方法。
【請求項１６】
前記単一のプロジェクタからの前記画像の分割は、前記画像の一部分を反射するように構成されており、これにより前記画像から前記複数の画像成分を分離する分割ミラーによって行われることを特徴とする請求項１５に記載の方法。
【請求項１７】
前記分割工程は、単一のプロジェクタからの前記画像を、その中間焦点面にて分割することを含み、各前記パネル部分を通して各前記画像成分を投射する前記投射工程は、各前記パネル部分における別の焦点面において行われることを特徴とする請求項１３に記載の方法。
【請求項１８】
更に、各前記画像成分のうち１つを、前記画像の前記分割の後で且つ各前記画像成分のうち少なくとも１つの前記折り返しの前に、補助的な折り返しミラーで更に折り返す工程を有することを特徴とする請求項１３に記載の方法。
【請求項１９】
前記分割工程は、前記パネルの背後に配置された複数のプロジェクタからの前記画像を分割することを含むことを特徴とする請求項１３に記載の方法。
【請求項２０】
前記分割工程は、前記画像の対応する上端及び下端成分を投射するように、一対の前記プロジェクタからの前記画像を分割することを含むことを特徴とする請求項１９に記載の方法。
【請求項２１】
前記分割工程は、前記画像の対応する上端、下端、及び中間の各成分を投射するように、４つの前記プロジェクタからの前記画像を分割することを含むことを特徴とする請求項１９に記載の方法。
【請求項２２】
前記折り返し工程は、前記パネルの対向する各外側縁部に配置された一対の外側折り返しミラーによって行われることを特徴とする請求項１３に記載の方法。
【請求項２３】
更に、各前記画像成分のうち少なくとも１つを前記パネルの背後且つ前記パネルの各外側縁部の内側で折り返す工程を有し、前記分割工程は、各前記外側縁部の外側で行われることを特徴とする請求項１に記載の方法。
【請求項２４】
前記投射工程は、２つだけのプロジェクタを有し、前記折り返し工程は、前記パネルの背後且つ各前記外側縁部の内側に配置され、前記２つのプロジェクタのうちの第１のプロジェクタ及び対応するパネル部分と光学的に整列されている単一の折り返しミラーを用いて行われ、前記２つのプロジェクタのうち第２のプロジェクタは残りのパネル部分と直接光学的に整列されていることを特徴とする請求項２３に記載の方法。
【請求項２５】
前記折り返し工程は、少なくとも１つの折り返しミラーを使用することを含み、各折り返しミラーは、平坦、凹面、凸面、球面、円筒状、円環状、円錐状、楕円状、フレネル式、及びこれらの組み合わせから成る群から選択される表面を有することを特徴とする請求項２３に記載の方法。
【請求項２６】
前記画像は、ビデオ画像であることを特徴とする請求項１に記載の方法。
【請求項２７】
前記パネルは、プリズム状の入口面を有することを特徴とする請求項１に記載の方法。
【請求項２８】
前記プリズム状の入口面は、光転向フィルムを有することを特徴とする請求項２７に記載の方法。
【請求項２９】
前記プリズム状の入口面は、前記パネルの本体の表面内に埋め込まれているプリズム群を有することを特徴とする請求項２７に記載の方法。
【請求項３０】
前記パネルは導波路群を有し、各導波路はクラッドによって取り囲まれたコアを有し、前記クラッドは前記コアの屈折率よりも低い屈折率を有することを特徴とする請求項１に記載の方法。
【請求項３１】
前記分割工程は、前記複数の画像成分を生成するように構成されたビデオドライバを用いて行われることを特徴とする請求項１に記載の方法。
【請求項３２】
前記投射工程は、各前記パネル部分を通して各前記画像成分を投射する、前記ビデオドライバに動作可能に結合された、複数のビデオプロジェクタを有することを特徴とする請求項３１に記載の方法。
【請求項３３】
光学パネルと、
画像を複数の画像成分に分割する分割要素と、
集合的に前記画像を形成するように、各前記画像成分を対応する前記パネルの各部分を通して投射する光学系と、
を有することを特徴とする光学ディスプレイシステム。
【請求項３４】
前記光学系は、各前記画像成分を、各前記パネル部分に向けて、それに対してそれぞれ鋭い入射角にて投射する少なくとも１つのプロジェクタを有し、それによって各前記画像成分が前記パネルの入口面において前記パネルの前記入口面に対して実質的に垂直な方向に再指向されることを特徴とする請求項３３に記載のディスプレイシステム。
【請求項３５】
各前記入射角は、約８°〜１１°の範囲内であることを特徴とする請求項３４に記載のディスプレイシステム。
【請求項３６】
各前記入射角は、互いに実質的に等しいことを特徴とする請求項３４に記載のディスプレイシステム。
【請求項３７】
各前記入射角は、互いに実質的に等しく、但し符号が逆であることを特徴とする請求項３４に記載のディスプレイシステム。
【請求項３８】
前記光学系は、各前記画像成分を互いに実質的に反対方向に投射する２つのプロジェクタを有することを特徴とする請求項３３に記載のディスプレイシステム。
【請求項３９】
前記光学系は、各前記画像成分を実質的に同一方向に投射する少なくとも２つのプロジェクタを有することを特徴とする請求項３３に記載のディスプレイシステム。
【請求項４０】
前記光学系は、各前記画像成分を前記パネルの対向する各縁部から各前記パネル部分に向けて前方に投射する少なくとも２つのプロジェクタを有することを特徴とする請求項３３に記載のディスプレイシステム。
【請求項４１】
前記光学系は、各前記画像成分を前記パネルの共通の縁部から各前記パネル部分に向けて前方に投射する少なくとも２つのプロジェクタを有することを特徴とする請求項３３に記載のディスプレイシステム。
【請求項４２】
前記光学系は、少なくとも１つの折り返されていない光学経路を有し、少なくとも１つのプロジェクタが、各前記画像成分のうち少なくとも１つを、前記少なくとも１つの折り返されていない光学経路を通して前記パネルに向けて投射することを特徴とする請求項３３に記載のディスプレイシステム。
【請求項４３】
前記光学系は、少なくとも１つの折り返された光学経路を有し、少なくとも１つのプロジェクタが、各前記画像成分のうち少なくとも１つを、前記少なくとも１つの折り返された光学経路を通して前記パネルに向けて投射することを特徴とする請求項３３に記載のディスプレイシステム。
【請求項４４】
各折り返された光学経路は折り返しミラーを有し、該折り返しミラーは、平坦、凹面、凸面、球面、円筒状、円環状、円錐状、楕円状、フレネル式、及びこれらの組み合わせから成る群から選択される表面を有することを特徴とする請求項４３に記載のディスプレイシステム。
【請求項４５】
前記画像は前記パネルの背後且つ前記パネルの各外側縁部の内側で前記複数の画像成分に分割され、前記光学系は、各前記画像成分のうち少なくとも１つを、前記対応する各パネル部分を通して投射するように、各前記外側縁部のうち少なくとも１つの近傍で折り返す少なくとも１つの折り返しミラーを有することを特徴とする請求項３３に記載のディスプレイシステム。
【請求項４６】
各折り返しミラーは、平坦、凹面、凸面、球面、円筒状、円環状、円錐状、楕円状、フレネル式、及びこれらの組み合わせから成る群から選択される表面を有することを特徴とする請求項４５に記載のディスプレイシステム。
【請求項４７】
前記複数の画像成分は、前記パネルの背後に配置された単一のプロジェクタから発されることを特徴とする請求項４５に記載のディスプレイシステム。
【請求項４８】
前記分割要素は、前記単一のプロジェクタによって生成された前記画像の一部分を反射するように構成されており、これにより前記画像から前記複数の画像成分を分離する分割ミラーを有することを特徴とする請求項４７に記載のディスプレイシステム。
【請求項４９】
前記複数の画像成分は、単一のプロジェクタから発され、前記画像は、前記単一のプロジェクタの中間焦点面にて前記複数の画像成分に分割され、各前記画像成分は、前記単一のプロジェクタの別の焦点面において各前記パネル部分を通して投射されることを特徴とする請求項４５に記載のディスプレイシステム。
【請求項５０】
前記光学系は更に、光学的に前記分割要素と前記少なくとも１つの折り返しミラーとの間に配置された補助的な折り返しミラーを有し、これにより前記補助的な折り返しミラーは、前記画像が前記複数の画像成分に分割された後で且つ各前記画像成分のうち少なくとも１つが折り返される前に、各前記画像成分のうち少なくとも１つを更に折り返すことを特徴とする請求項４５に記載のディスプレイシステム。
【請求項５１】
前記分割要素は、前記パネルの背後に配置された複数のプロジェクタを有することを特徴とする請求項４５に記載のディスプレイシステム。
【請求項５２】
前記分割要素は、前記画像の対応する上端及び下端成分を投射する一対の前記プロジェクタを有することを特徴とする請求項５１に記載のディスプレイシステム。
【請求項５３】
前記分割要素は、前記画像の対応する上端、下端、及び中間の各成分を投射する４つの前記プロジェクタを有することを特徴とする請求項５１に記載のディスプレイシステム。
【請求項５４】
前記少なくとも１つの折り返しミラーは、前記パネルの対向する各外側縁部に配置された一対の外側折り返しミラーを有することを特徴とする請求項４５に記載のディスプレイシステム。
【請求項５５】
前記画像は、前記パネルの各外側縁部の外側で前記複数の画像成分に分割され、前記光学系は、各前記画像成分のうち少なくとも１つを前記パネルの背後且つ各前記外側縁部の内側で折り返す少なくとも１つの折り返しミラーを有することを特徴とする請求項３３に記載のディスプレイシステム。
【請求項５６】
前記光学系は、
各前記外側縁部のうち１つの外側に配置された２つのプロジェクタと、
前記パネルの背後且つ各前記外側縁部の内側に配置され、前記２つのプロジェクタのうち第１のプロジェクタ及び対応するパネル部分と光学的に整列されている単一の折り返しミラーと、
を有し、
前記２つのプロジェクタのうち第２のプロジェクタは残りのパネル部分と直接光学的に整列されている、
ことを特徴とする請求項５５に記載のディスプレイシステム。
【請求項５７】
各折り返しミラーは、平坦、凹面、凸面、球面、円筒状、円環状、円錐状、楕円状、フレネル式、及びこれらの組み合わせから成る群から選択される表面を有することを特徴とする請求項５５に記載のディスプレイシステム。
【請求項５８】
前記画像は、ビデオ画像であることを特徴とする請求項３３に記載のディスプレイシステム。
【請求項５９】
前記パネルは、プリズム状の入口面を有することを特徴とする請求項３３に記載のディスプレイシステム。
【請求項６０】
前記プリズム状の入口面は、光転向フィルムを有することを特徴とする請求項５９に記載のディスプレイシステム。
【請求項６１】
前記プリズム状の入口面は、前記パネルの本体の表面内に埋め込まれているプリズム群を有することを特徴とする請求項５９に記載のディスプレイシステム。
【請求項６２】
前記パネルは導波路群を有し、各導波路はクラッドによって取り囲まれたコアを有し、前記クラッドは前記コアの屈折率よりも低い屈折率を有することを特徴とする請求項３３に記載のディスプレイシステム。
【請求項６３】
前記分割要素は、前記複数の画像成分を生成するように構成されたビデオドライバを有することを特徴とする請求項３３に記載のディスプレイシステム。
【請求項６４】
前記光学系は、各前記パネル部分を通して各前記画像成分を投射する、前記ビデオドライバに動作可能に結合された、複数のビデオプロジェクタを有することを特徴とする請求項６３に記載のディスプレイシステム。
【発明の詳細な説明】
【技術分野】
【０００１】
連邦政府によって支援された研究又は開発に関する説明
本発明は、エネルギー省によって与えられた契約番号ＤＥ−ＡＣ０２−９８ＣＨ１０８８６の政府支援をもってなされた。政府は、本発明について一定の権利を有する。
【背景技術】
【０００２】
発明の背景
本発明は、一般には、光学パネルに関するものであり、より詳細には、光導波路を有する薄型光学ディスプレイパネルに関するものである。
【０００３】
光学ディスプレイスクリーン（画面）は、テレビ、コンピュータディスプレイ、及び産業・科学機器用ディスプレイなどの多くの一般的な用途において見られる。一般的なディスプレイスクリーンは、比較的長く又大きな筐体を必要とする陰極線管（ＣＲＴ）を用いて画像を形成する。
【０００４】
リアプロジェクションテレビ（ＲＰＴＶ：背面投射型テレビ）ディスプレイは、画像をその前面（前側）に表示するために、スクリーンの背面（後側）に投射（投影）される画像光を利用する。結果的に得られるこのＲＰＴＶディスプレイのための筐体は、画像光の集束、拡大及び指向のために必要な光学部品を収容するために相当の奥行きを有する。
【０００５】
ＣＲＴを置き換えて、スクリーンの筐体及び総重量を最小化するために、種々の形態の薄型ディスプレイスクリーンが継続的に開発されている。一般的な薄型パネルは、液晶ディスプレイ（ＬＣＤ）を用い、それを通して光を変調してビデオ（映像，テレビ）画像を生成する。
【０００６】
別のタイプの薄型ディスプレイパネルは、互いにラミネートされて薄い楔形にされる薄い光導波路を有する。この導波路を通して、画像光が、狭い入口面と広い出口スクリーンとの間で内部反射される。米国特許第５，３８１，５０２号は、薄型ディスプレイパネルの性能の向上のために開発された、この技術に基づく一連の特許のうちの１つである。
【０００７】
開発された更に別のタイプの薄型光学ディスプレイは、約９０°までの角度で入射光を転向させるためのプリズム式の光学フィルムを有する。このフィルムは、０°〜２０°の光入射角度、及びその中でフィルムの表面全体にわたり光を展開するためのフィルムと画像光源との間の対応する奥行きを必要とする。ディスプレイのサイズが増大すると、要求されるディスプレイの背後の奥行きが増大し、従って筐体の全体の厚さ又は奥行きが増大する。
【０００８】
従って、光学ディスプレイのための筐体の全体の厚さ又は奥行きを更に低減することが求められている。
【発明の開示】
【０００９】
発明の概要
画像を複数の画像成分に分割し、そして各画像成分を光学パネルの対応する各部分を通して投射して、それによって集合的に前記画像を形成することにより、光学パネルからビデオ画像を表示する。ディスプレイ全体の奥行きは、それ相応に低減される。
【００１０】
本発明を、好ましく又典型的な実施例に従って、その更なる目的及び利点と共に、後述の詳細な説明において添付の図面を参照してより詳細に説明する。
【発明を実施するための最良の形態】
【００１１】
発明の詳細な説明
図１は、本発明の典型的な実施例に従うビデオ画像ディスプレイ１０を示す。このディスプレイは、任意の所望の用途のために水平方向の幅Ｗ及び垂直方向の高さＨの寸法が決められたプリズム式の光学パネル１２を含む構成要素群の組立体である。典型的な大型パネルビデオディスプレイスクリーンが図示されており、これは例えば約１．３メートル（５０インチ）の対角線スクリーン寸法を有していてよい。この光学パネルは、所望によって狭いキャビネットの奥行きＤ内にその全ての作動部品を取り付けるための、キャビネット又は筐体１４（部分的に図示）の中に適当に取り付けることができる。
【００１２】
図１のディスプレイの背面図である図２に示す典型的な実施例においては、光学パネル１２は、一対のプロジェクタ（投射器）１６と協働する。この一対のプロジェクタ１６は、パネルの前面に対面している観察者による直視のために、ビデオ画像１８ａを生成するビームの形態の画像光１８をパネルを通して投射するように適当に構成される。プロジェクタ１６はそれぞれ、可視画像を投射することのできる任意の従来の形態をとることができる。
【００１３】
例えば、図３に示すように、画像ビーム１８は初めに、適当な光源１６ａにおいて、単純な、変調されていない光として発生される。光源１６ａは、明るい白熱電球、又はレーザー、又はその他の任意の適当な光源であってよい。この初期の光は、単色光であっても、或いは所望に応じて色彩を有していてもよい。
【００１４】
次いで、この単純光は、所望のビデオ画像又はパターンを規定する個々の画素、即ち、ピクセルを生成するために、モジュレータ（変調器）１６ｂにおいて空間的に変調される。モジュレータは、液晶ディスプレイ（ＬＣＤ）又はデジタルマイクロミラー装置（ＤＭＤ：Digital Micromirror Device）などの、任意の従来の形態をとることができる。
【００１５】
ＬＣＤは、選択されたピクセルにおいて選択的に光を遮断するように選択的に不透明にされる部分を有する光透過型装置である。ＤＭＤは、光反射型装置であり、光をパネルに向けて又はパネルから外すように反射して対応するピクセルを規定するように選択的に傾斜させることのできる個々のマイクロミラーを有する。
【００１６】
レンズを含む適当な結像光学系１６ｃがパネルと光モジュレータとの間に光学的に整列される。これにより、パネルを通して透過させるように、パネルの背面上に要求に応じて画像ビームを水平方向及び垂直方向に拡大・縮小（スケーリング）及び集束（フォーカシング）させる。光源１６ａ、モジュレータ１６ｂ、及び結像光学系１６ｃは、模式的に１つの一体的なユニットとして接続されて図示されているが、これらの構成要素のそれぞれの配置は所望に応じて異ならせることができる。例えば、それぞれの構成要素は、互いに少しだけ離されていてよい。
【００１７】
図３に示す好ましい実施例において、パネル１２は、光学的に透明な本体又はフィルム１２ａの形態のものである。この本体又はフィルム１２ａは、ガラス又はプラスチックなどの任意の適当な材料構成を有していてよい。これは、プラスチックであれば、約１．５６の典型的な屈折率を有する。
【００１８】
シート形態のパネル１２は、プリズム状の第１の側面２０を有する。このプリズム状の第１の側面２０は、プロジェクタ１６と光学的に整列された、プロジェクタ１６からの画像ビーム１８を鋭い入射角Ａにて受光するための入口面を画成する。パネル１２は透明であり、これにより画像ビーム１８を入口面２０にて内部反射させ、出口スクリーン２２を画成する反対側の第２の側面から表示させる。
【００１９】
入口面２０は、プロジェクタ１６からの画像ビーム１８を受光するために、多数の光学的に透明なセレーション（鋸歯状部）又はプリズムを有する。プリズムは、画像ビーム１８を、フィルムを通してその中で全内部反射（全反射）によって伝達し、スクリーン２２にて表示するために、単一の光学的に透過可能な部材としてフィルム１２ａと一体的に形成される。
【００２０】
スクリーン２２は、その上に他の要素を有していなくてもよいが、視野を増大させるように画像ビーム１８を拡散又は展開するための光ディフューザ（拡散器）２２ａを有していてもよい。ディフューザは、観察者によって観察可能な画像を生成する際に画像ビーム１８を拡散するように適当に艶消し（フロスト）処理された、フィルム１２ａの表面層２２ａであってよい。或いは、ディフューザ２２ａは、画像光を拡散するためにフィルム１２ａの平滑な側面に対してラミネートされた、別個の光拡散部材又はシートであってよい。このようなディフューザの例は、フィジカル  オプティクス  コーポレーション（Physical Optics Corp.）［カリフォルニア州  トランス］から市販されているホログラフィックディフューザ、及びダイ  ニッポン  コーポレーション（ＤＮＰ）［デンマーク  コペンハーゲン］から米国の販売業者を介して市販されているレンズ状スクリーンを含む。
【００２１】
図３に示す典型的な実施例においては、パネルの第１及び第２の側面２０、２２は、パネルの全体の厚さを最小化するために、互いに正対している。それぞれのプリズムは、好ましくは、透明な第１及び第２のファセット（小面）を有する三角形の形態のものである。この第１及び第２のファセットは、それらの間に鋭い内包頂角を備えた対応する頂点において交差する。光学パネルは、プリズムの頂点から、反対側の第２の側面のスクリーン２２、又は有する場合にはディフューザ２２ａまでで測定される厚さを有する。
【００２２】
プリズムの長手方向は互いに平行であり、隣接するプリズムの第１及び第２のファセットは、その間にＶ字形状の溝を画成し、これによりパネルの第１の側面の全体は一様に鋸歯状とされている。
【００２３】
図２に示すように、各プリズムは、好ましくは、長手方向においてパネルの幅全体にわたり水平方向に伸長されている。又、各プリズムは、パネルの高さ全体にわたって垂直方向に離間されている。このような方法で、プリズム状の入口面（入口側）が鋭く照射（edge-lighted）されるようにすることができ、ディスプレイの筐体の全体の厚さ又は奥行きを相当に低減することができる。
【００２４】
図１〜４に示す典型的な実施例において、光学パネル１２は、３Ｍ  カンパニー［ミネソタ州  セントポール］から商標ＴＲＡＦ  ＩＩとして販売されている市販の転向フィルム（ターニングフィルム）を有していてよい。この頭文字は、透過型直角フィルム（Transmissive Right Angle Film）を意味する。透過型直角フィルムは、それを通して入射光を約９０°までの角度にて斜めに転向させるための鋭く照射されるシステムにおいて使用することができる、三角形の細長プリズムの間に画成されたプリズム溝を有する。このフィルムは、約１５５ミクロン（１５５μｍ）又は約６ミル（０．１５２４ｍｍ）の公称厚さを有し、７１度のプリズム頂角を有する。５０ミクロン（５０μｍ）の典型的なプリズムピッチは、相当な量の、即ち、多量の単位長さ当たりのプリズム量、例えば、約２００個／ｃｍをもたらす。光転向フィルムに代わる方法として、細長プリズムは、代わりにパネル１２の入口面２０の表面内に埋め込まれるか又はエンボス加工されてもよく、これによりパネル１２と一体的なプリズムを形成することができる。
【００２５】
パネルの入口面２０は、各プリズムの内部に画像光を受容する。各プリズムの内部では、画像光は全反射にて内部反射される。プリズム状の入口面２０の外部の周囲空気の屈折率は１．０であり、プリズム自体の屈折率よりも小さいので、相当に高い光透過効率を伴って画像光の全反射が得られる。従って、画像ビームは、プリズムの入口である第１のファセットを通って鋭い入射角Ａにて光学パネルに入り、又第２のファセットの背面に内部反射され、スクリーン２２から観察者へと実質的に垂直に外側に向けて本体フィルムを通して再指向（リダイレクト）される。
【００２６】
プリズムが入射画像ビーム１８を曲げるか又は転向させる能力は、光学パネルを極めて薄く製造することを可能とし、又キャビネットの奥行きＤの著しい低減を可能とする。図２及び４に示すように、２つのプロジェクタ１６からの画像ビーム１８は、２つの異なる方向において、パネルの背面の入口面２０上に投射することができる。入口面上の画像ビーム１８の入射角を最小化し、又スクリーンから実質的に垂直に外側に向けて投射するように画像ビームを曲げるか又は転向させるためのプリズムを使用することにより、光学パネルを極めて薄くすることができる。
【００２７】
図４においては、２つの画像ビーム１８は、光学パネルの垂直軸又は入口面の平面に対して、対応する各入射角Ａにて投射するものとして示されている。入射角Ａは、好ましくは、約０°〜２０°の範囲内の小さい値（鋭い角度）を有する。しかし、入射角がより小さければ小さいほど、筐体の全体の厚さＤはより薄くなる。光学パネル自体の厚さは、適当な光再指向能力があれば、約６ミル（０．１５２４ｍｍ）程度まで小さくすることができるが、所望により、その構造的な剛性を増大させるために、適当により厚くすることもできる。光学パネルは、所望により、キャビネット内で自立してもよいし、或いはそうでなければその周囲を取り巻いて又は対向する側部において堅固に取り付けてもよい。
【００２８】
図４に示すプリズム式の光学パネル１２は約２０°までの入射角を有する画像光を受容することができるが、最適な光透過効率は約８°〜１１°の狭い範囲内において得られ、好ましくは９°である。要求される入射角は光学パネルの垂直方向高さＨの全体にわたり繰り返されるので、画像光を入口面２０の全体にわたり投射するためにはパネルの背後に十分な奥行きが要求される。図１〜４の典型的な実施例において示されるように、本発明によれば、パネルの背後の奥行きを相当に低減することができる。
【００２９】
最初に図２及び４に示すように、初めにビデオ画像を、例えば、２つのプロジェクタで別々に生成される上端（頂部，上側）及び下端（底部，下側）半分画像成分１８ｂ、１８ｃの２つの画像成分などの、複数の画像成分に分割することによって、筐体の全体の奥行き又は厚さＤを相当に低減することができる。次いで、２つの画像成分は、パネルの対応する上端（頂部，上側）及び下端（底部，下側）部分１２ｂ、１２ｃの２箇所を通る異なる経路を介して、好ましくはパネルの入口面２０に対して同一の鋭い入射角Ａにて投射される。これにより、２つの画像成分は、入口面２０を通して転向され、出口スクリーン２２上に集合的に完全画像１８ａを形成する。
【００３０】
図４に示す典型的な実施例においては、上端画像成分１８ｂは、パネルの上端半分上に下向きに投射され、又下端画像成分１８ｃは、パネルの下端半分上に上向きに投射される。対応する各入射角Ａは、好ましくは同一の大きさで、最適には約９°であるが、各入射角Ａは、同一又は共通の投射深さＢ（パネルの入口面２０から垂直に外側に向けて測定される）内で互いに反対向きに配向されている。
【００３１】
このような方法で、同一の投射深さＢを、投射される画像光の２つの１／２部分のために使用して、光学パネルの高さ全体を照射することができる。これにより、ディスプレイの筐体の全体の厚さ又は奥行きを相当に低減することができる。これとは反対に、画像光がパネルの入口面の全体に対して共通の画像源から、同じ入射角にて、上端又は下端のいずれかからか投射される場合には、対応する投射深さＢはおよそ２倍に大きくなる。
【００３２】
このビデオ画像１８の全体を共通の又は単一の光学パネル上に表示する好ましい方法は、図２及び４に示す一実施例において、一対の実質的に同一のプロジェクタ１６を使用することによって達成することができる。この一対の実質的に同一のプロジェクタ１６は、任意の従来の形態をとることのできる共通の電気的ビデオドライバ２４に動作可能に結合されている。ビデオドライバ２４は、初めにビデオ画像の全体を、２つのプロジェクタ１６を別々に駆動するために必要な２つの成分などの複数の成分に分割するように、適当に修飾される。
【００３３】
このような方法で、上端半分のビデオ画像１８ｂは、それによりパネルの上端半分１２ｂを照射する上端プロジェクタにおいて生成される。又、下端プロジェクタ１６は、パネルの下端半分１２ｃを照射する下端半分画像１８ｃを生成するように駆動される。２つの画像部分１８ｂ、１８ｃは、パネルの垂直方向中央近傍で互いに隣接し、そして２つの対応する１／２部分において集合的に所望の画像１８ａの全体を形成する。
【００３４】
従って、ビデオドライバ２４は、最初に所望のビデオ画像１８ａを複数、例えば好ましい実施例では２つの画像成分に分割するための適当な手段を達成する。ビデオドライバは、２つのプロジェクタ１６と協働し、そしてこれにより光学パネルの対応する部分上に画像成分を投射し、集合的に最終画像を形成する。ビデオドライバ２４は、所望の画像を示す電気信号を生成し、この電気信号は２つのプロジェクタ１６内で、光学パネルに対して投射される所望のビデオ画像の対応する部分を規定する空間的及び時間的な変調光に変換される。
【００３５】
図４に示す２つのプロジェクタ１６は、パネルの背後において、パネルの２つの１／２部分を別々に照射するのに便利な任意の位置に配置することができる。図示する好ましい実施例においては、２つのプロジェクタは、パネルの直ぐ後ろに配置され、又パネルの対応する上端及び下端部分１２ｂ、１２ｃと光学的に整列されている。これにより、２つの画像成分１８ｂ、１８ｃを、実質的に等しい入射角Ａにて、又同一の投射深さＢ（パネルの入口面から測定される）内で、パネルの対応する部分に対して投射する。しかし、等しくない入射角及び／又は投射深さをもたらし得るその他の構成も企図することができる。
【００３６】
図４に示す光投射構成要素をコンパクトに統合する目的で、一対の上端及び下端ミラー２６、２８といった典型的な形態の適当な要素が設けられ、これによりパネルの背後において共通の投射深さＢ内で画像成分１８ｂ、１８ｃのうち少なくとも１つを折り返す。このような方法で、画像成分１８ｂ、１８ｃの経路のうち少なくとも１つ、好ましくは両方を、対応するプロジェクタとパネルの入口面２０との間で折り返すことができる。これにより、キャビネットの全体の奥行きＤを最小化するように、作動部品を同一の投射深さＢ内にパッケージングすることができる。
【００３７】
図２及び４に示す典型的な実施例において、２つのプロジェクタ１６は、パネルの背後に取り付けられ、初めに画像成分を垂直方向において反対方向に外側に向けて折り返しミラー２６、２８へと投射し、次いで垂直方向内側に向けて対応するパネル部分１２ｂ、１２ｃへと、同一の、但し反対向きの傾斜角度Ａにて投射する。ビデオ画像１８ａは、初めに、パネルの外側（板外，機外，アウトボード）縁部の内側に配置された２つのプロジェクタを用いて、パネルの背後で分割される。次いで、２つの画像成分１８ｂ、１８ｃは、対応するパネル部分を通して投射するように、パネルの上端及び下端の外側縁部の近傍又は該各縁部において対応して折り返される。
【００３８】
このような方法で、２つの画像成分は、パネルの向かい合う上端及び下端の外側縁部から各パネル部分に向けて内側（板内，機内，インボード）に投射され、各外側縁部から、パネルの中央におけるそれらの共通の水平方向接合部へと、対応する各パネル部分の高さ（パネル全高の半分）の全体を照射する。
【００３９】
本実施例において、一対の折り返しミラー２６、２８は、パネルの背後において、対応するパネルの向かい合う上端部及び下端部に配置されている。又、この一対の折り返しミラー２６、２８は、パネルの中央の背後においてそれより前に配置された各プロジェクタ１６のうち対応する１つと光学的に整列されている。
【００４０】
図２に示すように、個々のプロジェクタ１６は、画像成分を水平方向及び垂直方向に拡大・縮小及び集束するために適当な光学系を有する。これにより、対応する各ミラー２６、２８から反射させて、水平方向及び垂直方向の両方においてパネルスクリーンの全寸法にわたる所望のビデオ画像を生成する。２つの折り返しミラー２６、２８は、好ましくは、適当な複合曲率を有する。これにより、２つの折り返しミラー２６、２８は、各プロジェクタからの画像光のそれぞれの部分を受光し、その光をパネルの幅全体にわたり又２つのパネル部分１２ｂ、１２ｃのそれぞれの高さ（パネル全高の半分）範囲にわたり分配する。
【００４１】
従って、図４に示す各入射角Ａはそれぞれ、好ましくは約８°〜１１°の範囲内にあり、最適には９°であり、但し反対方向を向いている。このような方法で、所望のビデオ画像の半分が、共通のパネルの上端半分上に投射され、そのビデオ画像の下端半分はそのパネルの下端半分上に投射される。最適な投射効率のためには、パネルの入口面２０の対応する各部分を照射するために同一の入射角Ａを使用することができる。又、得られる投射深さＢは、上記とは異なり画像光がパネルの高さ全体にわたり同一方向に且つ共通の画像源から投射される場合（図示せず）よりも相当に小さい。
【００４２】
最終的なビデオ画像の対応する各部分を投射するために別々に構成された２つのプロジェクタ１６を使用することによる更なる利点は、各プロジェクタ及びその構成要素のサイズを対応して小さくし得ることであり、それ相応の製造容易性及び対応する製造コストの低減が伴うことである。従って、各プロジェクタは、パネルの２つの１／２部分を照射するのに必要とされる抑制された投射深さＢ内にさえ適合するように、十分にサイズを小さくすることができる。
【００４３】
図５は、本発明の他の実施例に従う図１の光学ディスプレイの一部を示す。プリズム式のパネル１２自体に加えて、パネルは複数の垂直方向に互いに積み重ねられた光導波路３０をも有していてよい。複数の光導波路は、プリズム状のパネルの第２の側面２２に隣接するその後端部において、画像光を受光するための入口面を画成する。複数の導波路の反対側の端部は、好ましくは入口面に対して実質的に平行に配置される出口又はディスプレイスクリーンを画成する。
【００４４】
各導波路３０は、第１の屈折率を有する中央の透明コアを有し、これは光学プラスチック又はガラスで形成することができる。コアは、画像光がコアを通して伝達される時に画像光の実質的な全反射をもたらすように、コアの屈折率よりも低い第２の屈折率を有するクラッド層３２の間にラミネートされる。クラッドは、例えば、適当なプラスチック又はエポキシであってよい。
【００４５】
この実施例において、プリズム式のパネル１２は、導波路群による入口面の全体に隣接する光カプラー（結合器）を達成する。このプリズム式のパネル１２は、画像光を入口面内に結合又は再指向させて実質的に全反射で導波路を通して透過させるように、導波路群による入口面に適当に接着することができる。導波路は、入射光を受容するための受容角が限られている。そして、カプラーパネルは、画像光が、その方向が適当に転向されて、導波路のコアにその受容角内で入射されることを確実にする。
【００４６】
導波路３０は、好ましくは、パネルの幅Ｗの全体に沿って水平方向に連続して延在する平坦なリボンの形態のものである。リボン状の導波路は、好ましくは、パネルの高さＨの全体に沿って、それぞれの頂部に垂直方向に積み重ねられる。その導波路の数は、５２５〜３０００本の垂直解像線を提供するように約５２５〜３０００個に達してよく、所望に応じてより多くても、より少なくてもよい。
【００４７】
図５に示す好ましい実施例においては、導波路３０はプリズム式のパネルの第２の側面２２に対して垂直であり、コアは傾斜することなく水平方向にだけ延在する。この配向の著しい利点は、観察者又は視聴者によって直視されるように画像光が導波路を通して水平に伝達されることである。従って、視聴者は、最大輝度（明度）に対して画像光の全強度を受容する。個々の導波路は、それを通して実質的な損失が無く画像光が伝達されることを確実にし、又水平方向及び垂直方向のピクセルが最大解像度及び輝度を維持することを確実にする。
【００４８】
導波路の他の利点は、それが本質的にスクリーンの外部の周辺光（これはスクリーン上に、スクリーンに対して斜めに入射する）を拒絶する能力を有することである。これにより、スクリーンの見た目の黒さ（ブラックネス）及びコントラストは増大する。
【００４９】
スクリーンに付加的な黒さを提供するためには、スクリーン上に影響を与える周辺光を吸収するように、クラッド２２は、好ましくは暗色（例えば黒色）にする。スクリーンにおいて、クラッドの露出した縁部は、観察者に対して黒色であるように直視され得る。又、スクリーンを通して軸外（オフ・アクシス）で導波路に入る如何なる周辺光をも、黒色のクラッドによって内部で吸収されることになる。黒色のクラッドは、所望に応じて１つ又はそれ以上のクラッド層において、黒色のスプレーペイント、又は隣接するコア同士を接合するエポキシ接着剤中のカーボン（炭素）粒子などの任意の適当な方法で形成することができる。
【００５０】
図６及び７は、本発明の更に他の実施例を示す。この実施例では、所望のビデオ画像は、パネル１２の背後に配置された単一のプロジェクタ１６から、パネルのプリズム状の入口面２０上に光学的に分割される。この実施例では、ビデオドライバは、プロジェクタ１６を、そこから画像光が放射される際にビデオ画像の全体が形成されるように駆動する。
【００５１】
画像は、例えば、プロジェクタの一部及び下端の折り返しミラー２８と光学的に整列された分割ミラー３４を使用することによって、光学的に分割される。分割ミラー３４は、プロジェクタ１６から放射された画像光の半分を遮断するように寸法、構成、配置が決められる。この画像光の半分は、協働する中間折り返しミラー３６によって転向され、これにより下端の折り返しミラー２８に交差するように再指向される。分割ミラーによって遮断されないプロジェクタからの画像光の残りの半分は、上端の折り返しミラー２６によって受光され、パネルの上端部分１２ｂに交差するように再指向される。このような方法で、２つのパネル部分１２ｂ、１２ｃは、初め共通のプロジェクタ１６から生成され、次いで分割ミラー３４によって光学的に分離された、ビデオ画像１８ｂ、１８ｃの対応する１／２部分で照射される。
【００５２】
上述のように、プロジェクタ１６は、所望に応じて画像光を水平方向及び垂直方向の両方に拡大・縮小及び集束させ、光学パネル上に適切に拡大・縮小及び集束された最終ビデオ画像を形成するようにサイズが決められ又構成された、適当な光学系をその中に有する。図６に示す単一のプロジェクタの実施例において、分割ミラー３４は、パネルスクリーンにおける適切に集束されたビデオ画像を確保するように、好ましくは、プロジェクタから放射されたビデオ画像光の中間焦点面に配置される。２つの画像成分１２ｂ、１２ｃは、対応するパネル部分１２ｂ、１２ｃを通して、その各パネル部分における第２の焦点面に投射され、これによりその上端及び下端部分を含む適切に集束されたビデオ画像をもたらす。
【００５３】
分割ミラー３４は、好ましくは、それと光学的に整列された付加的な折り返しミラー３６と協働し、分割ミラー３４において分割された後で且つパネルの外側縁部に沿った下端ミラー２８における最終的な折り返しの前のビデオ画像の下端成分１８ｃを、更に折り返す。従って、上端画像１８ｂは、プロジェクタから放射された後に上端のミラー２６にて１回折り返されるが、下端画像１８ｃは、共通のプロジェクタから放射された後に２回折り返される。
【００５４】
図６及び７に示す種々の折り返しミラー及び分割ミラーは、パネルの異なる部分を、共通の入射角にて、それに伴う狭い投射深さ内で別々に照射して、光学ディスプレイの筐体の全体の厚さを低減するために使用することのできる、種々のパッケージング構成を示す。
【００５５】
図１〜７に示す典型的な実施例において、複数の画像成分は、共通のパネルの各外側縁部の両方から内側に向けて互いに反対向きに指向される。図８及び９は、本発明の他の実施例を示す。この実施例においては、複数の画像成分１８ｂ、１８ｃは、例えば、パネルの入口面に対して概略同一方向に、パネルの共通の縁部から指向される。
【００５６】
この実施例においては、所望のビデオ画像は、再び、ビデオドライバ２４において最初に分割され、これにより全体的なビデオ画像の対応する部分をそれぞれ投射する２つのプロジェクタ１６を別々に駆動する。２つのプロジェクタは、パネルの共通の下端外側縁部の外側からパネルの入口面上に画像成分を投射するように、キャビネットの適当な部分の内側において、パネルの下端縁部の下方に配置することができる。
【００５７】
この実施例においては、単一の折り返しミラー３８は、パネル１２の背後で、且つ、パネル１２の外側縁部の内側に配置され、２つのプロジェクタ１６のうちの対応する１つ及びパネルの対応する部分と光学的に整列されている。図９に最も良く示されているように、２つのプロジェクタ１６のうち１つは、折り返しミラー３８と光学的に整列されており、これによりこの折り返しミラー３８から画像光を反射して、パネルの上端部分１２ｂに所望の小さい入射角Ａにて結合させる。このような方法で、プロジェクタ１６からの画像光は、専らパネルの周囲の外側縁部の内側において、パネルの直ぐ後ろで折り返される。
【００５８】
残りのプロジェクタ１６は、残りの下端パネル部分１２ｃに対して直接光学的に整列されており、その入口面を下端画像１８ｃで所望の鋭い入射角Ａにて照射する。
【００５９】
図８に示す折り返しミラー３８は、実質的にパネルの幅全体にわたって延在しており、上端画像成分１８ｂをパネルの幅全体にわたって、又上端パネル部分１２ｂの高さ全体（これはパネル自体の全体の高さの半分である）にわたって展開する。又、パネルの下端部分１２ｃは、残りのプロジェクタによって直接照射される。上端画像成分と下端画像成分とのそれぞれについての入射角Ａは実質的に同一であり、又概略同一方向である。折り返しミラー３８は、パネルからの小さい投射深さ内に配置され、又この投射深さ内で上端画像成分１８ｂは上端パネル部分１２ｂの対応する高さ一面にわたり分配される。
【００６０】
図９は、２つのプロジェクタ１６のうち１つに制限された単一の折り返しミラー３８を使用する実施例を示す。この構成において、プロジェクタ及びビームスプリッター（ビーム分割手段）の両方は、ディスプレイの下のディスプレイキャビネット内の空間内に支持されていてよい。又、図９に仮想線で示す別の実施例では、単一の折り返しミラー３８は削除することができ、そしてその代わりに、パネルの上端に、関連するプロジェクタ１６を配置することができる。これにより、このプロジェクタ１６は、パネルの下端部分を照射する下端のプロジェクタと同様にして、等しいが反対向きの入射角にてパネルの上端部分を直接照射することができる。ディスプレイキャビネットは、その中に対応する各プロジェクタを保持し、画像の対応する部分を別々にパネルからの相当に小さい投射深さ内でパネルの上端及び下端部分上に指向させるように、パネルの上方及び下方に適当に伸長されてよい。
【００６１】
上述のように、本発明の基本的な方法によれば、単一の光学パネル１２上に投射されるべき所望のビデオ画像を、パネルの入口面の対応する部分に対して別々に投射される複数の画像成分に分割する。これにより、それぞれのパネル部分の対応する高さ部分を照射するために必要とされる投射深さを低減する。パネルの入口面の高さ一面にわたり投射されるビデオ画像の各分割部分のそれぞれに関して、相応の投射深さの低減が実現される。図１０は、図１〜４に示す実施例から派生した本発明の更に他の実施例を示す。
【００６２】
図１０において、ビデオ画像は、４つのビデオプロジェクタ１６を対応して駆動するために、初めにビデオドライバ２４内で４つの画像成分に分割される。上端及び下端のプロジェクタ１６は、光学パネルの上端及び下端の１／４部分を照射するように、上述のような方法で対応する上端及び下端の折り返しミラー２６、２８と光学的に整列されている。２つの中間プロジェクタ１６は、光学パネルの内側の２つの１／４部分を照射するように、対応する中間の折り返しミラー２６ａ、２８ａと光学的に整列されている。
【００６３】
このような方法で、光学パネル１２の４分の１の高さの部分のそれぞれは、全て概略同一の鋭い入射角にて、対応するプロジェクタ１６によって別々に照射される。上側の２つの画像部分は下方に向けて同一方向に投射され、一方下側の２つの画像部分は上方に向けて互いに同一方向（但し、上側の２つの画像部分とは反対方向）に投射される。
【００６４】
４つの折り返しミラーは、実質的に光学パネルの幅全体に延在しているが、パネルの入口面から垂直に外側に向けて測定した場合に相当に短い幅を有する。協働する各プロジェクタは、サイズを相当に小さくすることができ、又４つの折り返しミラーが利用できる投射深さ内に適合するように構成することができる。ビデオドライバ２４は、パネルの直ぐ後ろ、又はパネルの４つの外側縁部の外側に好都合に配置することができる、比較的小さいサイズの適当な電子的構成を有してよい。従って、結果的に得られるディスプレイパネルは、その投射構成要素を含めて、比較的薄い奥行きのものとして構成することができる。
【００６５】
従って、光学パネル１２自体の厚さが極めて薄いだけではなく、投射要素の投射深さもまた対応して低減することができ、これにより光学ディスプレイの筐体の全体の厚さ又は奥行きを低減することができる。
【００６６】
本発明は、入射画像光を再指向させるのに光学パネル１２内で使用される透過型直角フィルムに関して特別の利点を有する。透過型直角フィルムは、このフィルムのスクリーン側から実質的に垂直に外側に向けて投射するように、入射画像光を浅い入射角から再指向させる。入射角は、画像光をパネルを通して効率的に転向させるために、又画像光を対応する部分に分割することによって、その最適値の約９°に抑えることができる。入射画像光のための最大投射深さは相当に低減され、従って投射及び表示筐体の全体の厚さを低減する。
【００６７】
抑制された投射深さを有するコンパクトな構成要素の組立体を達成する上での利益をもたらすように、種々の形態のビデオプロジェクタ１６及び折り返しミラーを使用することができる。ビデオ画像は、初めに、対応する各プロジェクタに送信（入力）するビデオドライバ内で電子的に分割するか又は共通のプロジェクタからのものを光学的に分割することができる。
【００６８】
プロジェクタ及び光学要素は、ビデオ画像を、光学パネルの幅全体、並びに、集合的に光学パネルの高さ全体にわたって展開するように構成されているが、所望に応じてビデオ画像及び対応するその部分をパネルの高さ及び幅の両方にわたり分配するためにその他の実施態様も使用することができる。
【００６９】
上述の各実施例のそれぞれに関して、光学パネル１２が、クラッド（図５を参照して説明したようなもの）にそれぞれ取り囲まれた導波路群、及び、任意にパネルの入力表面上に配置される光転向フィルムを有しているものも企図し得る。或いは、導波路／クラッドが用いられない場合に、別法として、パネル１２は単に光転向（又は再指向）フィルムから成っていてもよい。上述のどの実施例においても、光学パネル１２が任意にディフューザを有していてよいことを理解されたい。ディフューザは、図３を参照して上述したような形態にて採用することができる。
【００７０】
図１１は、光学パネル１２が導波路群を有する典型的な実施例を示す。この特定の構成においては、パネル１２内に、パネル１２の入口面２０上のプリズム状部は含まれていない。各プロジェクタ１６は、上述の各実施例において説明したのと同様の位置に配置することができる。しかし、パネル１２の入口面２０上のプリズム状部又は光転向フィルムを省略したことを補うために、画像光は、最終的に入口面２０に向けて実質的に鋭さのより低い角度（即ち、プリズム状の入口面２０を有する実施例よりも実質的に鋭さのより低い角度）にて投射される必要がある。これにより、導波路の光入口円錐角によって規定される制限された光受容を補う。これを達成するために、各プロジェクタは、画像成分１８ｂ、１８ｃを後方に向けてミラー４６、４８へと指向させ、ミラー４６、４８はそれぞれ画像成分１８ｂ、１８ｃを前方に向けてパネル１２の上端及び下端部分１２ｂ、１２ｃへと別々に反射する。図１１に示すパネルは、図９の実施例（即ち、仮想線で示されるもの）と同様にパネル１２の上端及び下端に配置された各プロジェクタ１６を利用する。図１２は、図９の実施例と同様に２つのプロジェクタ１６の両方ともがパネル１２の下端に配置された別の典型的な実施例を示す。
【００７１】
本発明の好ましく又典型的であると考えられる実施例について説明したが、本発明のその他の変形も本明細書の教示から当業者には明白である。従って、添付の特許請求の範囲は、本発明の真の精神及び範囲内にあるこのような全ての変更を包含することを意図する。例えば、上述の各実施例においては５０インチのディスプレイについて説明したが、上述の教示を利用して他の種々のサイズのディスプレイも当然企図することができる。又、上述の各実施例では、画像を２つ又は４つの画像成分に分割するとして説明したが、画像は所望に応じて任意の数（即ち、２つ又はそれ以上）の画像成分に分割することができる。更に、これらの画像成分は、所望に応じて互いに垂直方向（上述の各実施例にて説明したように）又は水平方向に配置することができ、或いはその他の配置とすることもできる。
【００７２】
上述の各実施例では、画像成分は全体的に概略垂直方向に進行する（即ち、ディスプレイスクリーンの下方及び上方に配置されたプロジェクタを用いる）ものとして説明したが、ディスプレイシステムはその他の配置にて用いることもできる。例えば、別法として、画像成分を、ディスプレイの右側及び左側に配置されたプロジェクタから導くことができる。当然、この特定の構成においては、ディスプレイ（例えば、導波路群）及び／又は光転向フィルムの配向を対応して変更することが必要となることがある。更に別の方法として、画像成分は、所望によりアレイ型マトリクス構成として用いる（即ち、パネル１２上に投射される）ことができる。
【００７３】
上述の各実施例におけるミラー（群）は、所望に応じて任意の形態をとることができる。例えば、ミラー（群）は、平坦（プラナー）、凹面（コンケイブ）、凸面（コンベックス）、球面（スフェリカル）、円筒状（シリンドリカル）、円環状（トーリック）、円錐状（コニック）、楕円状（エリプティカル）、又はこれらの組み合わせである表面を有していてよい。ミラー（群）の表面は、全体的又は部分的にフレネル段差又はファセットにより提供されてよい。又、ミラー（群）が、投射される画像（群）に存在することのある画像ディストーション（歪み）を補正することのできる特定の処方（即ち、曲率，湾曲）を含むことも企図し得る。
【００７４】
従って、添付の特許請求の範囲によって規定され又差別化される本発明の特許を請求する。
【図面の簡単な説明】
【００７５】
【図１】図１は、本発明の典型的な一実施例に従うビデオディスプレイの正面を示す部分断面図である。
【図２】図２は、図１に示すディスプレイの背面を示す部分切り欠き断面図であり、図１中の２−２線に沿って見た様子を示す図である。
【図３】図３は、好ましい実施例に従う光学パネルを有する図１に示すディスプレイの底部の拡大断面側面図である。
【図４】図４は、図１に示すディスプレイの断面側面図であり、図１中の４−４線に沿って見た様子を示す図である。
【図５】図５は、他の実施例に従う図１に示す光学パネルの拡大断面側面図である。
【図６】図６は、本発明の他の実施例に従うビデオディスプレイの背面を示す等角図である。
【図７】図７は、図６に示すビデオディスプレイの側面図であり、図６中の７−７線に沿って見た様子を示す図である。
【図８】図８は、本発明の他の実施例に従うビデオディスプレイの背面を示す等角図である。
【図９】図９は、図８に示すビデオディスプレイの側面図であり、図８中の９−９線に沿って見た様子を示す図である。
【図１０】図１０は、本発明の他の実施例に従うビデオディスプレイの概略側面図である。
【図１１】図１１は、本発明の他の実施例に従うビデオディスプレイの拡大側面図である。
【図１２】図１２は、本発明の他の実施例に従うビデオディスプレイの拡大側面図である。
【図１】
2007526494.tif 000003
【図２】
2007526494.tif 000004
【図３】
2007526494.tif 000005
【図４】
2007526494.tif 000006
【図５】
2007526494.tif 000007
【図６】
2007526494.tif 000008
【図７】
2007526494.tif 000009
【図８】
2007526494.tif 000010
【図９】
2007526494.tif 000011
【図１０】
2007526494.tif 000012
【図１１】
2007526494.tif 000013
【図１２】
2007526494.tif 000014
【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
光学パネルから画像を表示する方法において、
前記画像を複数の画像成分に分割する工程と、
集合的に前記画像を形成するように、各前記画像成分を対応する前記パネルの各部分を通して投射する工程と、
を有し、
前記投射工程は、各前記画像成分を、各前記パネル部分に向けて、それに対してそれぞれ鋭い入射角にて投射し、それによって各前記画像成分が前記パネルの入口面において前記パネルの前記入口面に対して実質的に垂直な方向に再指向されることを含み、
各前記入射角は、約８°〜１１°の範囲内である、
ことを特徴とする前記方法。
【請求項２】
各前記入射角は、互いに実質的に等しいことを特徴とする請求項１に記載の方法。
【請求項３】
各前記入射角は、互いに実質的に等しく、但し符号が逆であることを特徴とする請求項１に記載の方法。
【請求項４】
前記投射工程は、初めに各前記画像成分を互いに実質的に反対方向に投射することを含むことを特徴とする請求項１に記載の方法。
【請求項５】
前記投射工程は、初めに各前記画像成分を実質的に同一方向に投射することを含むことを特徴とする請求項１に記載の方法。
【請求項６】
前記投射工程は、各前記画像成分を前記パネルの対向する各縁部から各前記パネル部分に向けて前方に投射することを含むことを特徴とする請求項１に記載の方法。
【請求項７】
前記投射工程は、各前記画像成分を前記パネルの共通の縁部から各前記パネル部分に向けて前方に投射することを含むことを特徴とする請求項１に記載の方法。
【請求項８】
前記投射工程は、各前記画像成分のうち少なくとも１つを、折り返されていない光学経路を通して前記パネルに向けて投射することを含むことを特徴とする請求項１に記載の方法。
【請求項９】
前記投射工程は、各前記画像成分のうち少なくとも１つを、折り返された光学経路を通して前記パネルに向けて投射することを含むことを特徴とする請求項１に記載の方法。
【請求項１０】
各折り返された光学経路は折り返しミラーによってもたらされ、該折り返しミラーは、平坦、凹面、凸面、球面、円筒状、円環状、円錐状、楕円状、フレネル式、及びこれらの組み合わせから成る群から選択される表面を有することを特徴とする請求項９に記載の方法。
【請求項１１】
更に、
前記画像を前記パネルの背後且つ前記パネルの各外側縁部の内側で分割する工程と、
各前記画像成分のうち少なくとも１つを、前記対応する各パネル部分を通して投射するように、各前記外側縁部のうち少なくとも１つの近傍で折り返す工程と、
を有することを特徴とする請求項１に記載の方法。
【請求項１２】
前記折り返し工程は、少なくとも１つの折り返しミラーを使用することを含み、各折り返しミラーは、平坦、凹面、凸面、球面、円筒状、円環状、円錐状、楕円状、フレネル式、及びこれらの組み合わせから成る群から選択される表面を有することを特徴とする請求項１１に記載の方法。
【請求項１３】
前記分割工程は、前記パネルの背後に配置された単一のプロジェクタからの前記画像を分割することを含むことを特徴とする請求項１１に記載の方法。
【請求項１４】
前記単一のプロジェクタからの前記画像の分割は、前記画像の一部分を反射するように構成されており、これにより前記画像から前記複数の画像成分を分離する分割ミラーによって行われることを特徴とする請求項１３に記載の方法。
【請求項１５】
前記分割工程は、単一のプロジェクタからの前記画像を、その中間焦点面にて分割することを含み、各前記パネル部分を通して各前記画像成分を投射する前記投射工程は、その別の焦点面において行われることを特徴とする請求項１１に記載の方法。
【請求項１６】
更に、各前記画像成分のうち１つを、前記画像の前記分割の後で且つ各前記画像成分のうち少なくとも１つの前記折り返しの前に、補助的な折り返しミラーで更に折り返す工程を有することを特徴とする請求項１１に記載の方法。
【請求項１７】
前記分割工程は、前記パネルの背後に配置された複数のプロジェクタからの前記画像を分割することを含むことを特徴とする請求項１１に記載の方法。
【請求項１８】
前記分割工程は、前記画像の対応する上端及び下端成分を投射するように、一対の前記プロジェクタからの前記画像を分割することを含むことを特徴とする請求項１７に記載の方法。
【請求項１９】
前記分割工程は、前記画像の対応する上端、下端、及び中間の各成分を投射するように、４つの前記プロジェクタからの前記画像を分割することを含むことを特徴とする請求項１７に記載の方法。
【請求項２０】
前記折り返し工程は、前記パネルの対向する各外側縁部に配置された一対の外側折り返しミラーによって行われることを特徴とする請求項１１に記載の方法。
【請求項２１】
更に、各前記画像成分のうち少なくとも１つを前記パネルの背後且つ前記パネルの各外側縁部の内側で折り返す工程を有し、前記分割工程は、各前記外側縁部の外側で行われることを特徴とする請求項１に記載の方法。
【請求項２２】
前記投射工程は、２つだけのプロジェクタを有し、前記折り返し工程は、前記パネルの背後且つ各前記外側縁部の内側に配置され、前記２つのプロジェクタのうちの第１のプロジェクタ及び対応するパネル部分と光学的に整列されている単一の折り返しミラーを用いて行われ、前記２つのプロジェクタのうち第２のプロジェクタは残りのパネル部分と直接光学的に整列されていることを特徴とする請求項２１に記載の方法。
【請求項２３】
前記折り返し工程は、少なくとも１つの折り返しミラーを使用することを含み、各折り返しミラーは、平坦、凹面、凸面、球面、円筒状、円環状、円錐状、楕円状、フレネル式、及びこれらの組み合わせから成る群から選択される表面を有することを特徴とする請求項２１に記載の方法。
【請求項２４】
前記画像は、ビデオ画像であることを特徴とする請求項１に記載の方法。
【請求項２５】
前記パネルは、プリズム状の入口面を有することを特徴とする請求項１に記載の方法。
【請求項２６】
前記プリズム状の入口面は、光転向フィルムを有することを特徴とする請求項２５に記載の方法。
【請求項２７】
前記プリズム状の入口面は、前記パネルの本体の表面内に埋め込まれているプリズム群を有することを特徴とする請求項２５に記載の方法。
【請求項２８】
前記パネルは導波路群を有し、各導波路はクラッドによって取り囲まれたコアを有し、前記クラッドは前記コアの屈折率よりも低い屈折率を有することを特徴とする請求項１に記載の方法。
【請求項２９】
前記分割工程は、前記複数の画像成分を生成するように構成されたビデオドライバを用いて行われることを特徴とする請求項１に記載の方法。
【請求項３０】
前記投射工程は、各前記パネル部分を通して各前記画像成分を投射する、前記ビデオドライバに動作可能に結合された、複数のビデオプロジェクタを有することを特徴とする請求項２９に記載の方法。
【請求項３１】
光学パネルと、
画像を複数の画像成分に分割する分割要素と、
集合的に前記画像を形成するように、各前記画像成分を対応する前記パネルの各部分を通して投射する光学系と、
を有し、
前記光学系は、各前記画像成分を、各前記パネル部分に向けて、それに対してそれぞれ鋭い入射角にて投射する少なくとも１つのプロジェクタを有し、それによって各前記画像成分が前記パネルの入口面において前記パネルの前記入口面に対して実質的に垂直な方向に再指向され、
各前記入射角は、約８°〜１１°の範囲内である、
ことを特徴とする光学ディスプレイシステム。
【請求項３２】
各前記入射角は、互いに実質的に等しいことを特徴とする請求項３１に記載のディスプレイシステム。
【請求項３３】
各前記入射角は、互いに実質的に等しく、但し符号が逆であることを特徴とする請求項３１に記載のディスプレイシステム。
【請求項３４】
前記光学系は、各前記画像成分を互いに実質的に反対方向に投射する２つのプロジェクタを有することを特徴とする請求項３１に記載のディスプレイシステム。
【請求項３５】
前記光学系は、各前記画像成分を実質的に同一方向に投射する少なくとも２つのプロジェクタを有することを特徴とする請求項３１に記載のディスプレイシステム。
【請求項３６】
前記光学系は、各前記画像成分を前記パネルの対向する各縁部から各前記パネル部分に向けて前方に投射する少なくとも２つのプロジェクタを有することを特徴とする請求項３１に記載のディスプレイシステム。
【請求項３７】
前記光学系は、各前記画像成分を前記パネルの共通の縁部から各前記パネル部分に向けて前方に投射する少なくとも２つのプロジェクタを有することを特徴とする請求項３１に記載のディスプレイシステム。
【請求項３８】
前記光学系は、少なくとも１つの折り返されていない光学経路を有し、少なくとも１つのプロジェクタが、各前記画像成分のうち少なくとも１つを、前記少なくとも１つの折り返されていない光学経路を通して前記パネルに向けて投射することを特徴とする請求項３１に記載のディスプレイシステム。
【請求項３９】
前記光学系は、少なくとも１つの折り返された光学経路を有し、少なくとも１つのプロジェクタが、各前記画像成分のうち少なくとも１つを、前記少なくとも１つの折り返された光学経路を通して前記パネルに向けて投射することを特徴とする請求項３１に記載のディスプレイシステム。
【請求項４０】
各折り返された光学経路は折り返しミラーを有し、該折り返しミラーは、平坦、凹面、凸面、球面、円筒状、円環状、円錐状、楕円状、フレネル式、及びこれらの組み合わせから成る群から選択される表面を有することを特徴とする請求項３９に記載のディスプレイシステム。
【請求項４１】
前記画像は前記パネルの背後且つ前記パネルの各外側縁部の内側で前記複数の画像成分に分割され、前記光学系は、各前記画像成分のうち少なくとも１つを、前記対応する各パネル部分を通して投射するように、各前記外側縁部のうち少なくとも１つの近傍で折り返す少なくとも１つの折り返しミラーを有することを特徴とする請求項３１に記載のディスプレイシステム。
【請求項４２】
各折り返しミラーは、平坦、凹面、凸面、球面、円筒状、円環状、円錐状、楕円状、フレネル式、及びこれらの組み合わせから成る群から選択される表面を有することを特徴とする請求項４１に記載のディスプレイシステム。
【請求項４３】
前記複数の画像成分は、前記パネルの背後に配置された単一のプロジェクタから発されることを特徴とする請求項４１に記載のディスプレイシステム。
【請求項４４】
前記分割要素は、前記単一のプロジェクタによって生成された前記画像の一部分を反射するように構成されており、これにより前記画像から前記複数の画像成分を分離する分割ミラーを有することを特徴とする請求項４３に記載のディスプレイシステム。
【請求項４５】
前記複数の画像成分は、単一のプロジェクタから発され、前記画像は、前記単一のプロジェクタの中間焦点面にて前記複数の画像成分に分割され、各前記画像成分は、前記単一のプロジェクタの別の焦点面において各前記パネル部分を通して投射されることを特徴とする請求項４１に記載のディスプレイシステム。
【請求項４６】
前記光学系は更に、光学的に前記分割要素と前記少なくとも１つの折り返しミラーとの間に配置された補助的な折り返しミラーを有し、これにより前記補助的な折り返しミラーは、前記画像が前記複数の画像成分に分割された後で且つ各前記画像成分のうち少なくとも１つが折り返される前に、各前記画像成分のうち少なくとも１つを更に折り返すことを特徴とする請求項４１に記載のディスプレイシステム。
【請求項４７】
前記分割要素は、前記パネルの背後に配置された複数のプロジェクタを有することを特徴とする請求項４１に記載のディスプレイシステム。
【請求項４８】
前記分割要素は、前記画像の対応する上端及び下端成分を投射する一対の前記プロジェクタを有することを特徴とする請求項４７に記載のディスプレイシステム。
【請求項４９】
前記分割要素は、前記画像の対応する上端、下端、及び中間の各成分を投射する４つの前記プロジェクタを有することを特徴とする請求項４７に記載のディスプレイシステム。
【請求項５０】
前記少なくとも１つの折り返しミラーは、前記パネルの対向する各外側縁部に配置された一対の外側折り返しミラーを有することを特徴とする請求項４１に記載のディスプレイシステム。
【請求項５１】
前記画像は、前記パネルの各外側縁部の外側で前記複数の画像成分に分割され、前記光学系は、各前記画像成分のうち少なくとも１つを前記パネルの背後且つ各前記外側縁部の内側で折り返す少なくとも１つの折り返しミラーを有することを特徴とする請求項３１に記載のディスプレイシステム。
【請求項５２】
前記光学系は、
各前記外側縁部のうち１つの外側に配置された２つのプロジェクタと、
前記パネルの背後且つ各前記外側縁部の内側に配置され、前記２つのプロジェクタのうち第１のプロジェクタ及び対応するパネル部分と光学的に整列されている単一の折り返しミラーと、
を有し、
前記２つのプロジェクタのうち第２のプロジェクタは残りのパネル部分と直接光学的に整列されている、
ことを特徴とする請求項５１に記載のディスプレイシステム。
【請求項５３】
各折り返しミラーは、平坦、凹面、凸面、球面、円筒状、円環状、円錐状、楕円状、フレネル式、及びこれらの組み合わせから成る群から選択される表面を有することを特徴とする請求項５１に記載のディスプレイシステム。
【請求項５４】
前記画像は、ビデオ画像であることを特徴とする請求項３１に記載のディスプレイシステム。
【請求項５５】
前記パネルは、プリズム状の入口面を有することを特徴とする請求項３１に記載のディスプレイシステム。
【請求項５６】
前記プリズム状の入口面は、光転向フィルムを有することを特徴とする請求項５５に記載のディスプレイシステム。
【請求項５７】
前記プリズム状の入口面は、前記パネルの本体の表面内に埋め込まれているプリズム群を有することを特徴とする請求項５５に記載のディスプレイシステム。
【請求項５８】
前記パネルは導波路群を有し、各導波路はクラッドによって取り囲まれたコアを有し、前記クラッドは前記コアの屈折率よりも低い屈折率を有することを特徴とする請求項３１に記載のディスプレイシステム。
【請求項５９】
前記分割要素は、前記複数の画像成分を生成するように構成されたビデオドライバを有することを特徴とする請求項３１に記載のディスプレイシステム。
【請求項６０】
前記光学系は、各前記パネル部分を通して各前記画像成分を投射する、前記ビデオドライバに動作可能に結合された、複数のビデオプロジェクタを有することを特徴とする請求項５９に記載のディスプレイシステム。
【請求項６１】
光学パネルから画像を表示する方法において、
前記画像を複数の画像成分に分割する工程であって、該画像の分割が前記パネルの背後且つ前記パネルの各外側縁部の内側で起こる分割工程と、
集合的に前記画像を形成するように、各前記画像成分を対応する前記パネルの各部分を通して投射する工程であって、各前記画像成分のうち少なくとも１つが、前記対応する各パネル部分を通した投射のために、各前記外側縁部のうち少なくとも１つの近傍で折り返される投射工程と、
を有し、
前記分割工程は、前記パネルの背後に配置された単一のプロジェクタからの前記画像を分割することを含み、
前記投射工程は、各前記画像成分を、各前記パネル部分に向けて、それに対してそれぞれ鋭い入射角にて投射し、それによって各前記画像成分が前記パネルの入口面において前記パネルの前記入口面に対して実質的に垂直な方向に再指向されることを含み、
各前記入射角は、約８°〜１１°の範囲内であり、
前記画像は、ビデオ画像である、
ことを特徴とする前記方法。
【請求項６２】
各前記入射角は、互いに実質的に等しく、但し符号が逆であることを特徴とする請求項６１に記載の方法。
【請求項６３】
前記投射工程は、初めに各前記画像成分を実質的に同一方向に投射することを含むことを特徴とする請求項６１に記載の方法。
【請求項６４】
前記投射工程は、各前記画像成分を前記パネルの対向する各縁部から各前記パネル部分に向けて前方に投射することを含むことを特徴とする請求項６１に記載の方法。
【請求項６５】
前記投射工程は、各前記画像成分のうち少なくとも１つを、折り返された光学経路を通して前記パネルに向けて投射することを含むことを特徴とする請求項６１に記載の方法。
【請求項６６】
各折り返された光学経路は折り返しミラーによってもたらされ、該折り返しミラーは、平坦、凹面、凸面、球面、円筒状、円環状、円錐状、楕円状、フレネル式、及びこれらの組み合わせから成る群から選択される表面を有することを特徴とする請求項６５に記載の方法。
【請求項６７】
前記折り返し工程は、少なくと１つの折り返しミラーを使用することを含み、各折り返しミラーは、平坦、凹面、凸面、球面、円筒状、円環状、円錐状、楕円状、フレネル式、及びこれらの組み合わせから成る群から選択される表面を有することを特徴とする請求項６１に記載の方法。
【請求項６８】
前記単一のプロジェクタからの前記画像の分割は、前記画像の一部分を反射するように構成されており、これにより前記画像から前記複数の画像成分を分離する分割ミラーによって行われることを特徴とする請求項６１に記載の方法。
【請求項６９】
前記分割工程は、前記単一のプロジェクタからの前記画像を、その中間焦点面にて分割することを含み、各前記パネル部分を通して各前記画像成分を投射する前記投射工程は、その別の焦点面において行われることを特徴とする請求項６１に記載の方法。
【請求項７０】
更に、各前記画像成分のうち１つを、前記画像の前記分割の後で且つ各前記画像成分のうち少なくとも１つの前記折り返しの前に、補助的な折り返しミラーで更に折り返す工程を有することを特徴とする請求項６１に記載の方法。
【請求項７１】
前記折り返し工程は、前記パネルの対向する各外側縁部に配置された一対の外側折り返しミラーによって行われることを特徴とする請求項６１に記載の方法。
【請求項７２】
前記パネルは、プリズム状の入口面を有することを特徴とする請求項６１に記載の方法。
【請求項７３】
前記プリズム状の入口面は、光転向フィルムを有することを特徴とする請求項７２に記載の方法。
【請求項７４】
前記プリズム状の入口面は、前記パネルの本体の表面内に埋め込まれているプリズム群を有することを特徴とする請求項７２に記載の方法。
【請求項７５】
前記パネルは導波路群を有し、各導波路はクラッドによって取り囲まれたコアを有し、前記クラッドは前記コアの屈折率よりも低い屈折率を有することを特徴とする請求項６１に記載の方法。
【請求項７６】
光学パネルと、
画像を複数の画像成分に分割する分割要素であって、前記画像が前記パネルの背後且つ前記パネルの各外側縁部の内側で前記複数の画像成分に分割される分割要素と、
集合的に前記画像を形成するように、各前記画像成分を対応する前記パネルの各部分を通して投射する光学系であって、各前記画像成分のうち少なくとも１つを、前記対応する各パネル部分を通して投射するように、各前記外側縁部のうち少なくとも１つの近傍で折り返す少なくとも１つの折り返しミラーを有する光学系と、
を有し、
前記複数の画像成分は、前記パネルの背後に配置された単一のプロジェクタから発され、
前記光学系は、各前記画像成分を、各前記パネル部分に向けて、それに対してそれぞれ鋭い入射角にて投射する単一のプロジェクタを有し、それによって各前記画像成分が前記パネルの入口面において前記パネルの前記入口面に対して実質的に垂直な方向に再指向され、
各前記入射角は、約８°〜１１°の範囲内であり、
前記画像は、ビデオ画像である、
ことを特徴とする光学ディスプレイシステム。
【請求項７７】
各前記入射角は、互いに実質的に等しく、但し符号が逆であることを特徴とする請求項７６に記載のディスプレイシステム。
【請求項７８】
前記光学系は、少なくとも１つの折り返された光学経路を有し、前記単一のプロジェクタが、各前記画像成分のうち少なくとも１つを、前記少なくとも１つの折り返された光学経路を通して前記パネルに向けて投射することを特徴とする請求項７６に記載のディスプレイシステム。
【請求項７９】
各折り返された光学経路は折り返しミラーを有し、該折り返しミラーは、平坦、凹面、凸面、球面、円筒状、円環状、円錐状、楕円状、フレネル式、及びこれらの組み合わせから成る群から選択される表面を有することを特徴とする請求項７８に記載のディスプレイシステム。
【請求項８０】
各折り返しミラーは、平坦、凹面、凸面、球面、円筒状、円環状、円錐状、楕円状、フレネル式、及びこれらの組み合わせから成る群から選択される表面を有することを特徴とする請求項７６に記載のディスプレイシステム。
【請求項８１】
前記分割要素は、前記単一のプロジェクタによって生成された前記画像の一部分を反射するように構成されており、これにより前記画像から前記複数の画像成分を分離する分割ミラーを有することを特徴とする請求項７６に記載のディスプレイシステム。
【請求項８２】
前記複数の画像成分は、前記単一のプロジェクタから発され、前記画像は、前記単一のプロジェクタの中間焦点面にて前記複数の画像成分に分割され、各前記画像成分は、前記単一のプロジェクタの別の焦点面において各前記パネル部分を通して投射されることを特徴とする請求項７６に記載のディスプレイシステム。
【請求項８３】
前記光学系は更に、光学的に前記分割要素と前記少なくとも１つの折り返しミラーとの間に配置された補助的な折り返しミラーを有し、これにより前記補助的な折り返しミラーは、前記画像が前記複数の画像成分に分割された後で且つ各前記画像成分のうち少なくとも１つが折り返される前に、各前記画像成分のうち少なくとも１つを更に折り返すことを特徴とする請求項７６に記載のディスプレイシステム。
【請求項８４】
前記少なくとも１つの折り返しミラーは、前記パネルの対向する各外側縁部に配置された一対の外側折り返しミラーを有することを特徴とする請求項７６に記載のディスプレイシステム。
【請求項８５】
前記パネルは、プリズム状の入口面を有することを特徴とする請求項７６に記載のディスプレイシステム。
【請求項８６】
前記プリズム状の入口面は、光転向フィルムを有することを特徴とする請求項８５に記載のディスプレイシステム。
【請求項８７】
前記プリズム状の入口面は、前記パネルの本体の表面内に埋め込まれているプリズム群を有することを特徴とする請求項８５に記載のディスプレイシステム。
【請求項８８】
前記パネルは導波路群を有し、各導波路はクラッドによって取り囲まれたコアを有し、前記クラッドは前記コアの屈折率よりも低い屈折率を有することを特徴とする請求項７６に記載のディスプレイシステム。
【手続補正書】
【提出日】平成19年6月18日(2007.6.18)
【手続補正１】
【補正対象書類名】図面
【補正対象項目名】全図
【補正方法】変更
【補正の内容】
【図１】
2007526494.tif 000015
【図２】
2007526494.tif 000016
【図３】
2007526494.tif 000017
【図４】
2007526494.tif 000018
【図５】
2007526494.tif 000019
【図６】
2007526494.tif 000020
【図７】
2007526494.tif 000021
【図８】
2007526494.tif 000022
【図９】
2007526494.tif 000023
【図１０】
2007526494.tif 000024
【図１１】
2007526494.tif 000025
【図１２】
2007526494.tif 000026
【国際調査報告】
2007526494.tif 000027
2007526494.tif 000028